(57)【要約】【課題】効果的に加湿することができ、しかも、それを簡素で合理的な構成により実現することができる水フィルター形空気清浄機を提供する。【解決手段】容器２内の水６の中でバブリングして清浄化された空気を室内に供給するようになされた水フィルター形空気清浄機１において、前記空気を前記容器２内の水６で加湿する加湿手段が備えられている。加湿手段は、例えば、容器２内の水６の中へのエアーブローを行う加湿用コンプレッサー７や容器内の水を加熱する加湿用ヒーターなどからなり、加湿手段には、湿度調節機能が備えられているとよい。【選択図】      図１
2005106363.tif 000002
【特許請求の範囲】
【請求項１】
容器内の水中でバブリングして清浄化された空気を室内に供給するようになされた水フィルター形空気清浄機において、前記空気を前記容器内の水で加湿する加湿手段が備えられていることを特徴とする加湿機能付き水フィルター形空気清浄機。
【請求項２】
前記加湿手段が、容器内の水中へのエアーブローを行う加湿用コンプレッサーからなる請求項１に記載の加湿機能付き水フィルター形空気清浄機。
【請求項３】
前記加湿手段が、容器内の水を加熱する加湿用ヒーターからなる請求項１又は２に記載の加湿機能付き水フィルター形空気清浄機。
【請求項４】
前記加湿手段が、湿度調節機能を備えている請求項１乃至３のいずれか一に記載の加湿機能付き水フィルター形空気清浄機。
【発明の詳細な説明】
【技術分野】
【０００１】
本発明は、加湿機能付き水フィルター形空気清浄機に関する。
【背景技術】
【０００２】
水フィルター形空気清浄機は、従来より提供されているが、この清浄機は空気中の汚れや有害化学物質等を除去するには効果を発揮するが、乾燥した部屋を加湿する能力が低く、特に、冬期の乾燥状態では加湿能力はほとんど発揮されず、別途加湿器を使用する必要があった。
【発明の開示】
【発明が解決しようとする課題】
【０００３】
本発明は、上記のような従来の問題点に鑑み、効果的に加湿することができ、しかも、それを簡素で合理的な構成により実現することができる水フィルター形空気清浄機を提供することを課題とする。
【課題を解決するための手段】
【０００４】
上記の課題は、容器内の水中でバブリングして清浄化された空気を室内に供給するようになされた水フィルター形空気清浄機において、前記空気を前記容器内の水で加湿する加湿手段が備えられていることを特徴とする加湿機能付き水フィルター形空気清浄機によって解決される。
【０００５】
この水フィルター形空気清浄機では、別途加湿手段が備えられているので、空気を効果的に清浄化することができるのみならず、空気を効果的に加湿することができる。しかも、この加湿手段は、容器内の水を利用して加湿を行うものであるから、加湿のための水容器を水フィルター用の水容器とを別個に備えさせる必要がなく、空気の清浄化と加湿とを簡素で合理的な構成により実現することができる。
【０００６】
上記の加湿手段が、容器内の水中へのエアーブローを行う加湿用コンプレッサーからなる場合は、容器内の水中で、空気清浄化のためのバブリングと、加湿のためのエアーブローとをうまく両立させることができて、空気を効果的に清浄化することができると共に、空気を効果的に加湿することができる。特に、コンプレッサーでエアーブローされる空気が汚れている場合も容器内の水で清浄化することができ、きれいな加湿空気を形成することができる。
【０００７】
上記の加湿手段が、容器内の水を加熱する加湿用ヒーターからなる場合も、容器内の水中で、空気清浄化のためのバブリングと、加湿のための加熱とをうまく両立させることができて、空気を効果的に清浄化することができると共に、空気を効果的に加湿することができる。特に、加湿手段がヒータ−からなる場合は熱作用によってきれいな加湿空気を形成することができる。
【０００８】
前記加湿手段が、湿度調節機能を備えている場合は、水フィルター側の付随的に生じうる加湿作用を調節する場合に比べて、空気清浄機能を損なわせることなく湿度を調節することができる。
【発明の効果】
【０００９】
本発明の水フィルター形空気清浄機は、以上のとおりのものであるから、効果的に加湿することができ、しかも、それを簡素で合理的な構成により実現することができる。
【発明を実施するための最良の形態】
【００１０】
次に、本発明の実施最良形態を図面に基づいて説明する。
【００１１】
図１（イ）に示す第１実施形態の水フィルター形空気清浄機１において、２は水容器、３は未清浄空気導通管、４は清浄化済空気導通管、５はファンである。容器２の中には水６が収容され、未清浄空気導通管３は、その容器側の端部が容器２内の水６の中に沈められると共に、清浄化済空気導通管４は、その容器側の端部が容器２内で水面より上方に設置され、ファン５は清浄化済空気導通管４の側に備えられて、ファン５を駆動することにより、外の空気が未清浄空気導通管３を通じて容器２内に送り込まれ、水６内でバブリングして清浄化された後、清浄化済空気導通管４を通じて外に送り出されるようになされている。
【００１２】
そして、上記の水フィルター形空気清浄機１には、別途に加湿手段が備えられている。加湿手段は容器２内の水を利用して加湿を行うもので、本実施形態における加湿手段は、コンプレッサー７からなっており、該コンプレッサー７からのエアーブロー管７ａが上記の容器２内の水６の中に沈められ、コンプレッサー７を駆動することにより、水６の中にエアーが吹き込まれ、その空気が加湿されるようになされている。そして、この加湿空気が前記バブリング空気と混合されて、きれいな加湿空気となって外に送り出されることになる。容器２内に未清浄空気導通管３を通じて送り込まれてくる空気の単位時間当たりの容量を例えば９５程度とすると、コンプレッサー７によってブローされる空気の容量は例えば５程度であるが、これに限らない。コンプレッサー７のブローによる泡は上記のバブリングによる泡より細かいのはいうまでもない。また、本実施形態では、コンプレッサー７が強弱の切換えを行うことができるようになっていて、加湿の調節を行うことができるようになっている。なお、水補給手段が備えられていてもよい。
【００１３】
上記の水フィルター形空気清浄機１では、コンプレッサー７が加湿手段として別途備えられているので、空気を水フィルターで効果的に清浄化することができるのみならず、空気を効果的に加湿することができる。しかも、このコンプレッサー７は、容器２内の水６を利用して加湿を行うものであるから、加湿のための水容器を水フィルター用の水容器とを別個に備えさせる必要がなく、空気の清浄化と加湿とを簡素で合理的な構成により実現することができる。
【００１４】
しかも、コンプレッサー７によるエアーブローによる加湿であるから、空気清浄化のためのバブリングと、加湿のためのエアーブローとをうまく両立させることができて、空気を効果的に清浄化して効果的に加湿することができる。特に、コンプレッサー７でエアーブローされる空気が汚れている場合もその空気は容器２内の水で清浄化され、加湿によって空気が汚されることもなく、きれいな加湿空気を送り出すことができる。加えて、コンプレッサーの強弱を切り換えることで、水フィルターによる空気清浄化作用を損なわせることなく湿度の調節を行うことができる。
【００１５】
上記の水フィルター形空気清浄機１は、例えば、図１（ロ）に示すように、建物９の天井裏９ａ、あるいは図示しないが床下などに設置され、屋外から屋内に取り入れられる空気を清浄化すると共に加湿する場合などに用いることができし、あるいは、屋内の空気を循環によって清浄化し加湿する場合などにも用いることができるし、具体的用途に制限はない。
【００１６】
図２（イ）に示す第２実施形態の水フィルター形空気清浄機１は、加湿手段として、コンプレッサー７に代えて、電気等によるヒーター８が用いられている場合のもので、該ヒーター８は、容器２内の水６の中に沈められた状態にされるか、あるいは、図示しないが容器２に組み込まれるなどして備えられている。そして、ヒーター８を駆動すると、容器２内の水６が加熱され、それによって、水面上に加湿空気が形成されると共に、バブリング中の空気も加湿されて、きれいに清浄化された加湿空気が外に送り出されるようになされている。また、本実施形態では、ヒーター８を強弱の切換えることができるようになされていて、加湿の調節を行うことができるようになっている。その他は第１実施形態と概ね同じである。
【００１７】
本実施形態の水フィルター形空気清浄機１でも、容器２内の水６の中で、空気清浄化のためのバブリングと、加湿のための加熱とをうまく両立させることができて、空気を効果的に清浄化して効果的に加湿することができる。加えて、ヒーター８を強弱を切り換えることで、水フィルターによる空気清浄化作用を損なわせることなく湿度の調節を行うことができる。
【００１８】
図２（ロ）に示す第３実施形態の水フィルター形空気清浄機１は、加湿手段として、コンプレッサー７と電気等によるヒーター８の両方が備えられた場合のものである。このように種類の異なる加湿手段を複数組み合わせて備えさせるようにしてもよい。
【００１９】
以上に、本発明の実施形態を示したが、本発明はこれに限られるものではなく、発明思想を逸脱しない範囲で各種の変更が可能である。例えば、上記の実施形態では、加湿手段が、コンプレッサーやヒーターである場合を示しているが、その他のものであってもよく、要は、水フィルター用の水を加湿用に兼用するようなかたちで用いることができる加湿手段であればよい。また、水フィルターによる空気の清浄化のための具体的構成に制限はなく、バブリングで空気の清浄化を行うようになされたものであればよい。
【図面の簡単な説明】
【００２０】
【図１】図（イ）は第１実施形態の加湿機能付き水フィルター形空気清浄機を示す正面図、図（ロ）は使用例を示す建物の断面正面図である。
【図２】図（イ）は第２実施形態の加湿機能付き水フィルター形空気清浄機を示す正面図、図（ロ）は第３実施形態の加湿機能付き水フィルター形空気清浄機を示す正面図である。
【符号の説明】
【００２１】
１…水フィルター形空気清浄機
２…容器
６…水
７…コンプレッサー（加湿手段）
８…ヒーター（加湿手段）
【図１】
2005106363.tif 000003
【図２】
2005106363.tif 000004